(57)【要約】【課題】  灌水の効率化と清潔化を図り、軽量で安価な植栽用のプランターを提供するとともに、建物の壁面等に簡単に取り付けられるようにした。【解決手段】  壁面に取付け可能なパネルの表面に半樋状をしたプランターを一つ又は上下に複数一体的に形成した軽量資材製のプランターユニットを構築物の壁面に上下左右に展開したことを特徴とする壁面緑化プランター。【選択図】  図３
2006000008.tif 000002
【特許請求の範囲】
【請求項１】
壁面に取付け可能なパネルの表面に半樋状をしたプランターを一つ又は上下に複数一体的に形成した軽量資材製のプランターユニットを構築物の壁面に上下左右に展開したことを特徴とする壁面緑化プランター。
【請求項２】
プランターがパネルに上下複数段に形成されるものであり、上方のプランターの底のパネルとの接合部に、上方のプランターに溜まった水を下方のプランターに導く導水構造をパネルの長手方向に適当間隔で設けた請求項１の壁面緑化プランター。
【請求項３】
最下段のプランターの底のパネルとの接合部に、これに溜まった水を排出する排水構造をパネルの内部にパネルの長手方向に適当間隔で設けた請求項１又は２の壁面緑化プランター。
【請求項４】
プランターの側面から底面に至るコーナーをやや過ぎ辺りの表面に長手方向に水切り突条を形成した請求項１〜３いずれか１項の壁面緑化プランター。
【請求項５】
軽量資材が、発泡樹脂・無機物、樹脂品、軽金属、無機資材のいずれか又はこれらを複合したものである請求項１〜４いずれ１項の壁面緑化プランター。
【請求項６】
請求項１〜５いずれか１項の壁面緑化プランターを構築物の壁面に横方向に展開する取付方法であり、構築物にプランターユニットの上端と下端を収受する収受構造を有する上桟と下桟とをプランターユニットの高さに応じて取り付け、これら上桟と下桟との間に土を入れて植栽したプランターユニットを横から挿入して所定の位置まで滑らせてセットすることを特徴とする壁面緑化プランターの取付方法。
【請求項７】
上桟及び下桟が内外に分離できるものであり、上桟及び下桟を分離させたときには、プランターユニットが外方に抜出できるものである請求項５の壁面緑化プランターの取付方法。
【請求項８】
請求項１〜５いずれか１項の壁面緑化プランターの灌水方法であり、雨水を貯水槽に溜めてこれをポンプで各々のプランターユニットの最上段のプランターに供給することを特徴とする壁面緑化プランターの灌水方法。
【請求項９】
各々のプランターユニットの下桟に溜まった水を樋で地中又は地面の所定の個所に排水する請求項８の壁面緑化プランターの灌水方法。
【発明の詳細な説明】
【技術分野】
【０００１】
本発明は、建物を始めとする構築物の外壁面にプランターを取り付けて壁面の緑化を図る壁面緑化プランター並びにこの壁面緑化プランターの取付方法及び灌水方法に関するものである。
【背景技術】
【０００２】
建物等の外壁を草花や緑化植物を植栽したプランターで装飾すると、成長した植栽物で建物を緑化でき、景観の向上や建物自体の断熱が図られることから、最近では多く見られるようになってきた。しかし、従来の壁面緑化プランターは、特許文献１に見られるように、プランター自体を直接壁面に固定していたから、プランターに強度が要求されるとともに、固定構造が必要になっていた。加えて、プランターは個々に壁面に取り付けていたから、取付けにも難渋していた。さらに、この種のプランターには灌水が必要であるが、従来のプランターでは、給水した水が下にポタポタと垂れてこの辺りを濡らし、環境性と居住性を害していた。
【特許文献１】特開平５−３２８８５７号公報
【発明の開示】
【発明が解決しようとする課題】
【０００３】
本発明が解決しようとする課題は、プランター間での水漏れがないようにして水を上段のプランターから下段のプランターへと移動させて灌水の効率化と清潔化を図るとともに、プランターを軽量化し、かつ壁面への取付けにも工夫を凝らすことで、簡単で低コストに取付けできるようにしたものである。
【課題を解決するための手段】
【０００４】
本発明は、請求項１に記載した、壁面に取付け可能なパネルの表面に半樋状をしたプランターを一つ又は上下に複数一体的に形成した軽量資材製のプランターユニットを構築物の壁面に上下左右に展開したことを特徴とする壁面緑化プランターを提供するとともに、請求項６の、構築物の壁面にプランターユニットの上端と下端を収受する収受構造を有する上桟と下桟とをプランターユニットの高さに応じて取り付け、これら上桟と下桟との間に土を入れて植栽したプランターユニットを横から挿入して所定の位置まで滑らせてセットすることを特徴とする壁面緑化プランターの取付方法、及び請求項８の、雨水を貯水槽に溜めてこれをポンプで各々のプランターユニットの最上段のプランターに供給することを特徴とする壁面緑化プランターの灌水方法を提供したものである。
【発明の効果】
【０００５】
以上の壁面緑化プランターによれば、安価で軽量、しかも、断熱性に富んだものになるから、取付けが容易であるとともに、建物の断熱性が向上し、居住性が増す。また、上記した取付方法によれば、整然と取り付けられて外観性に優れるとともに、取付けが一層容易になる。さらに、上記した灌水方法によれば、水を節約でき、ランニングコストを低減できる。
【発明を実施するための最良の形態】
【０００６】
図１は本発明の実施の形態を示すプランターユニットの正面図、図２は平面図、図３は図１のＡ−Ａ断面図であるが、このプランターユニット１は、軽量資材で構成されるもので、壁面に取り付けるパネル２の片面に半樋状をしたプランター３を一体的に形成したものである。ここでいう一体的とは、一旦成形すると分離不可能という意味で、型や削り出しによる一体成形、適当な部分ごとに製作して接着剤や締結具で止めたりするものが考えられる。
【０００７】
ところで、以上でいう軽量資材とは、重量が軽い資材という意味で、これには、発泡樹脂や発泡コンクリート（無機物）、アルミ等の軽金属、軽カル等の無機物等の単品又はこれらを適当に複合したものがあり、中でも、発泡樹脂、とりわけ、発泡スチロールが価格、重量、強度、断熱性の点でもっとも適する。
【０００８】
プランターユニット１の大きさや形状等は、その取扱性を考慮して定められ、本例では、パネル２は厚みが約７０ｍｍ程度、大きさが約１ｍ四方程度にしてあり、これに肉厚２０ｍｍ程度で、突出量が約２１５ｍｍ程度、高さが約２５０ｍｍ程度のプランター３を上下二段に形成したものを示している。これを発泡スチロール製のものによると、プランター３に土を入れて種や苗を植栽したものであっても、重量が３０Ｋｇ程度になり、容易に手で持てるものになる。ただし、形状や寸法はこれに限定されるものではない。なお、プランター３の容積が大きくなり過ぎて強度的に不安がある場合は、中に適当数の仕切壁４を設けてもよい。
【０００９】
プランター３が複数段のものであれば、上段のプランター３から下段のプランター３に水が流下するようにしてある。具体的には、プランター３の底のパネル２との接合部（プランター３の外壁からできるだけ遠い位置）に孔５をあけてここから流下するようにしている。そして、これだけでは、水が飛散したりして外部に漏れ出たりするおそれがあるから、本例では、この孔５と下方のプランター３の中にかけてパイプ６を渡し、これで導水構造７としている。
【００１０】
なお、この導水構造７はパネル２の長手方向に適当数（本例では４個）設けて水の流下の均一性と確実性を図っている。さらに、プランター３の外表面の側面から底面に至るコーナーをやや過ぎ辺り（下方のプランター３の上方投影面内であることが条件）に水切り突条８を形成している。プランター３の外表面を滴る水を水切り突条８から強制的に下のプランター３内に落とすためであり、下方のプランター３から外れて下に落ちるのを防ぐためである。
【００１１】
最下段のプランター３には、ここに落ちて来た水を排出する排水構造９が設けられている。この排水構造９も、水の外部漏出を避ける工夫がしてあり、本例では、プランター３の底のパネル２との接合部に、パネル２内に入り込み、そこからパネル２内を落下する排水溝１０と、排水溝１０に連通してパネル２の下面内部に形成される断面逆Ｖ字形をした排水路１１とで形成している。なお、排水路１１を通って出て来た水の排出については後述する。そして、この排水溝１０は、パネル２の長手方向に適当数（本例では２個）設けて排水の円滑性と確実性を図っている。
【００１２】
以上のプランターユニット１は、建物の壁面等に取り付けられるのであるが、本発明では、下桟１２と上桟１３とを用いて取り付けている。図４はこの下桟１２と上桟１３との関係を示す要部断面図、図５は図４のＢーＢ断面図であるが、下桟１２は、パネル２の下端を支持するものであり、本例では、断面が上向きのコの字形をしたＣ形鋼等を用いてこの中にパネル２の下端を収受する収受構造１４を有するものにしている。パネル２をしっかりと保持して外れたり、傾いたりさせないためである。
【００１３】
下桟１２によるパネル２の支持は、壁面１５からボルト１６を突出させ、このボルト１６によって下桟１２を支持するようにしている。このとき、下桟１２の下面には断面が四角形をしたスリーブ１７を当て、このスリーブ１７の中にボルト１６を通すようにしている。下桟１２をスリーブ１７の上面に当ててその安定を保つためである。そして、ボルト１６の突出部にはワッシャ１８を嵌めてナット１９で締めてパネル２を壁面１５に固定している。なお、このボルト１６やスリーブ１７も、一つのプランターユニット１を複数で支持するようにして安定を図っている。
【００１４】
下桟１２の下方には下位のプランターユニット１のパネル２の上端を保持する上桟１３が設けられる。このとき、上桟１３の上面がスリーブ１７の下面に当たるようにして下桟１２との間隔を決めている。この上桟１３も、パネル２の上端を安定的に保持するために、断面が下向きのコの字形をしたＣ形鋼等を用いてこの中にパネル２の上端を収受する収受構造２０を有するものにしている。
【００１５】
したがって、新築の建物等にこの緑化プランターを取り付ける場合には、予め、施工の段階でこのボルト１６を所定間隔で配列しておけばよい。もちろん、後付けも可能であり、その場合には、ボルト１６を壁面１５に埋め込めばよい。なお、ボルト１６は、壁面１５に埋め込むのではなく、下桟１２と上桟１３の外側から壁面１５に直接螺じ込んだり、打ち込んだりするものであってもよい。
【００１６】
以上の下桟１２と上桟１２の取付けが終了したなら、その一方又は両方から両者の間にプランターユニット１を差し込み、所定の位置まで滑らせて移動させる。丁度、雨戸を敷居の上で滑らすようなやり方である。このとき、プランターユニット１には、土を入れて種や苗を植栽したものにしておくのはもちろんであり、プランターユニット１の大きさ、重量等を上記したものに設定したのは、この作業を容易にするためである。図７はプランターユニット１を取り付けた壁面１５の正面図であるが、計画した壁面１５全体にプランターユニット１が取り付けられると、工事は終了する。
【００１７】
このように、本発明では、プランターユニット１を直接壁面１５に固定する面倒な構造はとっていない。したがって、発泡スチロールのような軽量ではあるが、あまり強度の高くない素材を使用できるのであるし、強度を満たした別の固定構造等を必要としないのである。この点で、本発明は、作業性に優れて低コストであり、しかも、整然として外観の良い取付方法を可能にしたのである。
【００１８】
図６は下桟１２と上桟１３の変形例を示す要部断面図であるが、本例のものは、下桟１２と上桟１３ともに内外方向に分離できる構造のものである。すなわち、外方の下桟１２ａと上桟１３ａを内方の下桟１２ｂと上桟１３ｂの中に一部重合する形で差し込む形態にしたものである（この場合も、内方の下桟１２ｂ、上桟１３ｂと壁面１５との間には上記したスリーブ１７を挿入して内外の下桟１２ａ、１２ｂ、上桟１３ａ、１３ｂの間隔の保持と支持の安定を図っている）。
【００１９】
これによると、ナット１９を外して外方の下桟１２ａと上桟１３ａを分離すると、この間にある上方及び下方のプランターユニット１を外方に傾けたり、抜き出すことで取り外せることになる。下桟１２と上桟１３が横方向に長い場合、取付けにしても、取外しにしても移動の距離が長くなって作業に時間がかかるから、適当間隔ごとにこの構成を施しておいて作業時間を短縮しようというものである。特に、高い所での取付け、取外しに便利である。
【００２０】
建物等の構築物の壁面をこのような緑化プランターで覆っておくと、このプランターを発泡樹脂のような発泡体で製作しておくことにより、独立気泡を多く有するものになって、軽量であることはもちろん、非常に断熱性に富んだものになる。したがって、プランター内部の土や種苗の高温化が避けられ、これによる悪影響を防止できる。また、建物の内部もその断熱性によって温度変化が少なく、居住性の増すものとなる。さらに、壁面の装飾効果もあり、景観も向上する。
【００２１】
この緑化プランターには灌水が必要であるが、灌水は、水道水や用水を用いるものであってもよいが、雨水を利用するとすれば、ランニングコストが安くてすむ。この場合、降った雨水をそのまま各々のプランターユニット１の最上段のプランター３に供給してもよいが、貯水槽等を設けて一旦貯留し、これを適宜ポンプで汲み上げて供給するものにすれば、効率的である（図示省略）。なお、ポンプの駆動エネルギーを太陽熱を利用するものにすれば、ランニングコストは更に安くなる。
【００２２】
各下桟１２には最下段のプランター３から抜け出した灌水の水が溜まるが、本発明では、これを垂れ流しにするのではなく、樋２１で集めて地中又は地面の所定の個所に排水するようにしている。この樋２１を設ける個所は、下桟１２の一端でも両端でもよいが、このとき、排水をスムーズに行うために下桟１２をその方向に僅かに流れ勾配を付けておくことも考えられる。
【００２３】
ところで、この水の量は大したことがないから、下桟１２の端を閉じた構造にして自然蒸発させるものであってもよい。要は、灌水の水をポタポタ下に落とさないようにするのである。また、図示は省略するが、上位の下桟１３の水を下位のプランターユニット１の最上段のプランター３に排水パイプ等で導き、最下位のプランターユニット１の下桟１２の水だけを樋２０で集める方式をとってもよい。
【図面の簡単な説明】
【００２４】
【図１】本発明の実施例を示すプランターユニットの正面図である。
【図２】本発明の実施例を示すプランターユニットの平面図である。
【図３】図１のＡーＡ断面図である。
【図４】本発明の実施例を示す下桟、上桟の断面図である。
【図５】図４のＢーＢ断面図である。
【図６】本発明の実施例を示す下桟、上桟の断面図である。
【図７】本発明の実施例を示すプランターユニットを壁面に取り付けた状態の正面図である。
【符号の説明】
【００２５】
１    プランターユニット
２    パネル
３    プランター
４    仕切壁
５    孔
６    パイプ
７    導水構造
８    水切り突条
９    排水構造
１０  排水溝
１１  排水路
１２  下桟
１２ａ外方の下桟
１２ｂ内方の下桟
１３  上桟
１３ａ外方の上桟
１３ｂ内方の上桟
１４  収受構造
１５  壁面
１６  ボルト
１７  スリーブ
１８  ワッシャ
１９  ナット
２０  収受構造
２１  樋
【図１】
2006000008.tif 000003
【図２】
2006000008.tif 000004
【図３】
2006000008.tif 000005
【図４】
2006000008.tif 000006
【図５】
2006000008.tif 000007
【図６】
2006000008.tif 000008
【図７】
2006000008.tif 000009